(57)【要約】【課題】簡便な操作でセキュリティが高く誤操作が少ない計測システムおよび計測方法を実現することにある。【解決手段】本発明は、ネットワークを介して制御装置から送信される操作命令に従って計測を行う計測器を有する計測システムに改良を加えたものである。本システムの制御装置に、操作命令とパスワードが入力される操作部と、この操作部に操作命令が入力されるとパスワードを発生するパスワード発生部と、操作部に入力されるパスワードとパスワード発生部からのパスワードとが一致すると計測器に操作命令を送信する判断部とを設け、計測器に、パスワード発生部からのパスワードを入力し、この入力したパスワードを操作部に入力されるパスワードとして表示する表示部を設けたことを特徴とするものである。【選択図】        図１
2004334549.tif 000002
【特許請求の範囲】
【請求項１】
ネットワークを介して制御装置から送信される操作命令に従って計測を行う計測器を有する計測システムにおいて、
前記制御装置は、
前記操作命令とパスワードが入力される操作部と、
この操作部に操作命令が入力されるとパスワードを発生するパスワード発生部と、
前記操作部に入力されるパスワードと前記パスワード発生部からのパスワードとが一致すると前記計測器に前記操作命令を送信する判断部と
を設け、
前記計測器は、前記パスワード発生部からのパスワードを入力し、この入力したパスワードを前記操作部に入力されるパスワードとして表示する表示部を設けたことを特徴とする計測システム。
【請求項２】
判断部は、前記パスワード発生部のパスワードの有効期間内に判断することを特徴とする請求項１記載の計測システム。
【請求項３】
表示部は、前記パスワード発生部からのパスワードを、長くとも前記有効期間まで表示することを特徴とする請求項２に記載の計測システム。
【請求項４】
パスワード発生部は、前記操作部からの操作命令ごとにパスワードを発生することを特徴とする請求項１〜３のいずれかに記載の計測システム。
【請求項５】
制御装置は、前記操作部に入力されるパスワードまたはパスワード発生部からのパスワードの少なくとも一方を所定の規則に従って変換し、前記判断部に出力する変換部を設けたことを特徴とする請求項１〜４のいずれかに記載の計測システム。
【請求項６】
変換部は、前記操作部に入力される操作命令の種類によって変換を行うことを特徴とする請求項５記載の計測システム。
【請求項７】
制御装置は、前記パスワード発生部が発生したパスワードを前記計測器に送信するタイミングを調整するタイミング調整部を設けたことを特徴とする請求項１〜６のいずれかに記載の計測システム。
【請求項８】
制御装置は、前記判断部が前記計測器が送信した送信命令の履歴を保持する履歴保持部を有し、
パスワード発生部は、履歴保持部２５に保持される履歴に基づいて、パスワードを発生することを特徴とする請求項１〜７のいずれかに記載の計測システム。
【請求項９】
表示部は、前記制御装置からの操作命令を実行中は、前記制御装置または異なる制御装置からのパスワードを表示しないことを特徴とする請求項１〜８のいずれかに記載の計測システム。
【請求項１０】
ネットワークを介して制御装置から送信される操作命令に従って計測器が計測を行う計測方法において、
前記制御装置に操作命令が入力される手順と、
前記操作命令が入力されるとパスワードを発生する手順と、
この発生したパスワードを前記計測器の表示部に表示する手順と、
前記制御装置にパスワードが入力される手順と、
この入力されたパスワードと前記発生したパスワードとが一致すると前記計測器に前記操作命令を送信する手順と
を設けたことを特徴とする計測方法。
【発明の詳細な説明】
【０００１】
【発明の属する技術分野】
本発明は、ネットワークを介して制御装置から送信される操作命令に従って計測を行う計測器を有する計測システムおよび計測方法に関し、詳しくは、簡便な操作でセキュリティが高く誤操作が少ない計測システムおよび計測方法に関するものである。
【０００２】
【従来の技術】
近年、イーサネット（登録商標）のようなネットワークの普及によって、ペーパーレスレコーダ、オシロスコープ等の計測器は、ＬＡＮ（ｌｏｃａｌ  ａｒｅａ  Ｎｅｔｗｏｒｋ）やインターネット等のネットワークに接続されるようになってきた。これらの計測器は、ネットワークを介して制御装置（例えば、コンピュータ）から送信される操作命令に従って計測が行われる（例えば、特許文献１参照）。この操作命令（例えば、計測器の設定、計測の開始、データ収集等）は、ユーザがキーボードやマウス等の操作部を介してコンピュータに入力する。また一般的に、計測器の製造メーカから操作命令を簡単に入力できるソフトが配布されるので、ユーザはネットワークを介して計測器の操作を簡単に行うことができる。
【０００３】
そして、１人のユーザが１台のコンピュータから複数の計測器を操作したり、複数のユーザがそれぞれのコンピュータから同じ計測器を操作するなど、利便性が高まっている。
【０００４】
このようにネットワークには、複数の計測器が接続され、複数のユーザが計測器の操作を行うので、所望の計測器とは別の計測器に操作命令を誤って送信して誤操作してしまったり、複数の人が同一の計測器を同時に操作してしまい所望の計測を行えない等の問題が発生している。さらには、悪意をもった第３者によって計測器が不正操作されてしまうというセキュリティの問題も発生している。
【０００５】
そのため、近年、識別情報であるユーザＩＤ、パスワードを送信してから操作を行う計測システムや、計測器にスイッチを設けスイッチをオンしたときのみ、コンピュータからの操作を受けつける計測システム等が用いられ、計測器の誤操作やセキュリティを確保している（例えば、特許文献２参照）。
【０００６】
【特許文献１】
特開２００１−０５６８９６号公報（段落番号０００２〜０００７、第７図）
【特許文献２】
特開２００２−１５６４３３号公報（段落番号００４１〜００４２、第４図）
【０００７】
【発明が解決しようとする課題】
しかしながら、ユーザＩＤとパスワードによる管理は、計測器にユーザＩＤとパスワードを記憶させ、判断させる必要があり、メモリや判断させる手段を設けるため計測器の大型化、コストが増えてしまう。また、ユーザが増えるたびにユーザＩＤとパスワードを加えると共に、逆に使用しなくなったユーザのユーザＩＤとパスワードを削除するという頻雑な操作を行う必要があり、管理も頻雑になるという問題があった。
【０００８】
また、スイッチによる管理は、スイッチを設ける必要があり、計測器の大型化、コストが増えてしまう。また、計測器を操作するたびにユーザは、計測器のスイッチをオンにし、コンピュータの操作部から操作命令を入力し、計測器のスイッチをオフにするという操作が必要であり、操作が非常に頻雑であった。
【０００９】
そこで本発明の目的は、簡便な操作でセキュリティが高く誤操作が少ない計測システムおよび計測方法を実現することにある。
【００１０】
【課題を解決するための部】
請求項１記載の発明は、
ネットワークを介して制御装置から送信される操作命令に従って計測を行う計測器を有する計測システムにおいて、
前記制御装置は、
前記操作命令とパスワードが入力される操作部と、
この操作部に操作命令が入力されるとパスワードを発生するパスワード発生部と、
前記操作部に入力されるパスワードと前記パスワード発生部からのパスワードとが一致すると前記計測器に前記操作命令を送信する判断部と
を設け、
前記計測器は、前記パスワード発生部からのパスワードを入力し、この入力したパスワードを前記操作部に入力されるパスワードとして表示する表示部を設けたことを特徴とするものである。
【００１１】
請求項２記載の発明は、請求項１記載の発明において、
判断部は、前記パスワード発生部のパスワードの有効期間内に判断することを特徴とするものである。
【００１２】
請求項３記載の発明は、請求項２記載の発明において、
表示部は、前記パスワード発生部からのパスワードを、長くとも前記有効期間まで表示することを特徴とするものである。
【００１３】
請求項４記載の発明は、請求項１〜３のいずれかに記載の発明において、
パスワード発生部は、前記操作部からの操作命令ごとにパスワードを発生することを特徴とするものである。
【００１４】
請求項５記載の発明は、請求項１〜４のいずれかに記載の発明において、
制御装置は、前記操作部に入力されるパスワードまたはパスワード発生部からのパスワードの少なくとも一方を所定の規則に従って変換し、前記判断部に出力する変換部を設けたことを特徴とするものである。
【００１５】
請求項６記載の発明は、請求項５記載の発明において、
変換部は、前記操作部に入力される操作命令の種類によって変換を行うことを特徴とするものである。
【００１６】
請求項７記載の発明は、請求項１〜６のいずれかに記載の発明において、
制御装置は、前記パスワード発生部が発生したパスワードを前記計測器に送信するタイミングを調整するタイミング調整部を設けたことを特徴とするものである。
【００１７】
請求項８記載の発明は、請求項１〜７のいずれかに記載の発明において、
制御装置は、前記判断部が前記計測器が送信した送信命令の履歴を保持する履歴保持部を有し、
パスワード発生部は、履歴保持部２５に保持される履歴に基づいて、パスワードを発生することを特徴とするものである。
【００１８】
請求項９記載の発明は、請求項１〜８のいずれかに記載の発明において、
表示部は、前記制御装置からの操作命令を実行中は、前記制御装置または異なる制御装置からのパスワードを表示しないことを特徴とするものである。
【００１９】
請求項１０記載の発明は、
ネットワークを介して制御装置から送信される操作命令に従って計測器が計測を行う計測方法において、
前記制御装置に操作命令が入力される手順と、
前記操作命令が入力されるとパスワードを発生する手順と、
この発生したパスワードを前記計測器の表示部に表示する手順と、
前記制御装置にパスワードが入力される手順と、
この入力されたパスワードと前記発生したパスワードとが一致すると前記計測器に前記操作命令を送信する手順と
を設けたことを特徴とするものである。
【００２０】
【発明の実施の形態】
以下図面を用いて本発明の実施の形態を説明する。
［第１の実施例］
図１は本発明の第１の実施例を示す構成図である。図１において、ネットワーク１００は、例えば、イーサネット（登録商標）であり、インターネットやＬＡＮ（ｌｏｃａｌ  ａｒｅａ  Ｎｅｔｗｏｒｋ）等に接続される。
【００２１】
計測器１０は、例えば、ペーパーレスレコーダーやオシロスコープ等であり、ネットワーク１００に接続され、表示部１１を有する。表示部１１は、例えば、液晶や複数のＬＥＤ等であり文字、数字等を表示する。
【００２２】
コンピュータ２０は、制御装置であり、ネットワーク１００に接続され、計測器１０に操作命令を送信して操作する。また、コンピュータ２０は、操作部２１、パスワード発生部２２、判断部２３を有する。操作部２１は、例えば、キーボードやマウス等であり、操作命令とパスワードが入力される。パスワード発生部２２は、操作部２１に操作命令が入力されるごとにパスワードを発生する。判断部２３は、操作部２１に入力されるパスワードとパスワード発生部２２からのパスワードとが一致するかを判断し、一致すると操作部２１に入力された操作命令をネットワーク１００を介して計測器１０に送信する。
【００２３】
このような装置の動作を説明する。
図２は、図１に示すシステムの動作を説明する図である。
ユーザが、操作部２１に操作命令（例えば、計測器の設定、計測開始、データの収集等）の入力を行う（ＳＱ１）。この操作部２１に操作命令が入力されると、パスワード発生部２２がランダムに数字、文字を組み合わせたパスワード（例えば、ＡＢＣ）を発生し、判断部２３に出力すると共に（ＳＱ２）、このパスワード”ＡＢＣ”を表示させる表示命令を計測器１０に送信する（ＳＱ３）。
【００２４】
そして、計測器１０がコンピュータ２０からの表示命令に従って、表示器２１にパスワード”ＡＢＣ”を表示する（ＳＱ４）。さらにユーザが、表示器２１に表示されるパスワード”ＡＢＣ”を目視で確認して操作部２１にパスワード”ＡＢＣ”を入力する（ＳＱ５）。
【００２５】
この操作部２１に入力されたパスワード”ＡＢＣ”とパスワード発生部２２からのパスワード”ＡＢＣ”が一致するかを判断する。この際、判断部２３が、パスワード発生部２２からのパスワード”ＡＢＣ”の有効期間内に、操作部２１からパスワード”ＡＢＣ”が入力された場合にのみ判断するとよい。有効期間とは、ＳＱ２においてパスワード発生部２２からパスワード”ＡＢＣ”が入力されてからの期間であり、計測器１０の状況や環境によって異なるが、ユーザがパスワード”ＡＢＣ”を入力するのに最低限必要な時間とするとよい。例えば、計測器１０とコンピュータ２０が隣り合って設置されている場合は１分程度でよく、離れて設置されている場合ユーザが移動して表示部１１を目視で確認して戻ってきてパスワード”ＡＢＣ”を入力するのに必要な時間とするとよい（ＳＱ６）。
【００２６】
そして、一致していた場合、判断部２３が、操作部２１に入力された操作命令を計測器１０に送信する（ＳＱ７）。これによって計測器１０が操作命令に従って動作する。もちろん不一致の場合、判断部２３は、操作命令を計測器１０に送信しない。
【００２７】
このように、パスワード発生部２２が操作部２１に操作命令が入力されるとパスワード”ＡＢＣ”を発生し、計測器１０の表示部１１にパスワード”ＡＢＣ”を表示させる。そして、判断部２３が、パスワード発生部２２からのパスワード”ＡＢＣ”と操作部２１からのパスワード”ＡＢＣ”が一致すると、操作命令を計測器１０に送信するので、ユーザＩＤやパスワードを計測器１０に確認させたり、スイッチを計測器１０に設ける必要がない。これにより、簡便な操作でセキュリティが高く誤操作が少なくなる。さらに、計測器１０にスイッチやメモリを設ける必要がなく、小型化、低コスト化を図ることができる。
【００２８】
すなわち、操作する計測器１０の表示部１１を目視してからパスワード”ＡＢＣ”を入力するので、計測器１０を取り違えて誤操作したり、悪意のある第３者からの不正操作を防ぐことができる。
【００２９】
さらに、判断部２３が、有効期間内にパスワード”ＡＢＣ”が一致するかを確認をするので、セキュリティを高くすることができる。例えば、ユーザが操作命令を操作部２１に入力後、この操作部２１の前から離れることがある場合に有効である。
【００３０】
［第２の実施例］
図３は、本発明の第２の実施例を示す構成図である。ここで、図１と同一のものは同一符号を付し、説明を省略する。図３において、パスワード発生部２２と判断部２３との間に変換部２４が新たに設けられる。変換部２４は、パスワード発生部２２が発生したパスワードを所定の規則に従って変換し、判断部２３に出力する。なお、所定の規則とは、例えば、英字の場合アルファベット順で次の英字とし（”ＡＢＣ”ならば”ＢＣＤ”、”ＸＹＺ”ならば”ＹＺＡ”）、数字の場合、１を加えた数字（”１３５”ならば”２４６”、”７８９”ならば”８９０”）に変換する。
【００３１】
このような装置の動作を説明する。
このような装置は、図１に示す装置の動作とほぼ同様であるが、異なる動作は、変換部２４が、パスワード発生部２２からのパスワード”ＡＢＣ”を所定の規則に従って変換し、変換したパスワード”ＢＣＤ”を判断部２３に出力する。もちろん、表示部１１は、パスワード発生部２２からの変換されていないパスワード”ＡＢＣ”を表示する。
【００３２】
そして、ユーザが、表示部１１に表示されるパスワード”ＡＢＣ”を目視で確認し、操作部２１よりパスワード”ＢＣＤ”を入力する。これにより、判断部２３が、この操作部に２１に入力されたパスワード”ＢＣＤ”と変換部２４からの変換されたパスワード”ＢＣＤ”が一致するかを判断する。
【００３３】
このように、変換部２４がパスワード”ＡＢＣ”を”ＢＣＤ”に変換し、判断部２３が、変換後のパスワード”ＢＣＤ”と操作部２１からのパスワード”ＢＣＤ”が一致するかと判断するので、この変換の規則を知っているユーザのみが計測器１０を操作することができる。これにより、セキュリティを高くすることができる。
【００３４】
［第３の実施例］
図４は、本発明の第３の実施例を示す構成図である。ここで、図１と同一のものは同一符号を付し、説明を省略する。図４において、コンピュータ２０に履歴保持部２５が新たに設けられる。履歴保持部２５は計測器１０に判断部２３が送信した操作命令の履歴を保持する。また、パスワード発生部２２の代わりにパスワード発生部２６が設けられる。パスワード発生部２６は、操作部２１に操作命令が入力されると、履歴保持部２５に保持される履歴に基づいて、パスワードを発生する。
【００３５】
このような装置の動作を説明する。
このような装置は、図１に示す装置の動作とほぼ同様であるが、異なる動作は、パスワード発生部２６が、操作部２１に操作命令が入力されると、履歴保持部２５に保持される履歴を読み出し、操作部２１に入力された操作命令が、今までに何回実行されたかを確認する。例えば、ユーザが計測器１０の使用を開始した日時を設定させるような操作命令の場合、一度でも実行されているとパスワード発生部２６はパスワードを発生しない。他の操作命令は図１に示す装置と同様にパスワード”ＡＢＣ”を発生する。一方、履歴保持部２５が、判断部２３から計測器１０に送信される送信命令を監視し、履歴を保持する。
【００３６】
このように、パスワード発生部２６が、操作部２１に操作命令が入力されると、履歴保持部２５に保持される履歴に基づいてパスワードを発生するので、操作命令を実行できる回数を制限することができる。これにより、計測器１０の設定変更を防ぐことができ、計測器１０に設定される情報の信頼性を高くすることができる。
【００３７】
なお、本発明はこれに限定されるものではなく、以下のようなものでもよい。
（１）図１、図３、図４に示す装置において、ネットワーク１００に計測器１０が１台接続される構成を示したが、計測器１０は何台接続されてもよく、コンピュータ２０は複数の計測器１０を制御して操作してよい。また、コンピュータ２０もネットワーク１００に何台接続されてもよく、計測器１０を共有で制御して操作しても良い。
【００３８】
（２）図１、図３、図４に示す装置において、判断部２３が有効期間内にパスワードが一致するかを判断する構成を示したが、有効期間を設けなくともよい。
【００３９】
（３）図１、図３、図４に示す装置において、表示部１０がパスワード”ＡＢＣ”を表示する期間は、長くともパスワード”ＡＢＣ”の有効期間までとするとよい。計測器１０の状況や環境によって異なるが、ユーザがパスワード”ＡＢＣ”を目視するのに最低限必要な時間とするとよい。例えば、
（イ）計測器１０とコンピュータ２０が隣り合っている場合、表示期間を１０秒程度とし、有効期間を１分程度とするとよい。
（ロ）計測器１０とコンピュータ２０が異なる部屋、建物にある場合、表示期間をユーザが移動して表示部１１を目視で確認するまでの移動時間とし、有効期間をユーザが移動して表示部１１を目視で確認して戻ってくる往復時間とパスワードを入力するのに必要な時間とを足した時間とするとよい。
（ハ）工場に設置された複数の計測器１０を一度に操作する場合、表示期間を工場に設置された複数の計測器１０を一巡するのにかかる時間とし、有効期間を工場を一巡するのにかかる時間とパスワードを入力するのに必要な時間とするとよい。
このように、表示部１０が、表示期間をパスワードの有効期間以下とするので、不要な時間にパスワードを表示することがなく、セキュリティを高くすることができる。例えば、ユーザが操作命令を操作部２１に入力後、この操作部２１の前から離れることがある場合に有効である。なお、この表示期間はあらかじめユーザによって、操作部２１または計測器１０の図示しない操作部から設定される。
【００４０】
また、（ロ）、（ハ）の場合、ユーザが計測器１０に到着する前に、第３者がパスワードを目視する可能性があるので、コンピュータ２０にパスワード発生部２２、２６が発生したパスワード”ＡＢＣ”を計測器１０に送信するタイミングを調整するタイミング調整部を設け、このタイミング調整部がパスワード発生部２２、２６のパスワードを所望の時刻に計測器１０に送信するようにするとよい。例えば、ユーザが計測器１０に到着する予定時刻の１分前にタイミング調整部が、パスワード発生部２２、２６からのパスワード”ＡＢＣ”を送信し、表示部１１が予定時刻の前後２分間だけパスワードを表示するようにするとよい。このように、タイミング調整部が、パスワード”ＡＢＣ”を表示するタイミングを調整するので、不要な時間にパスワード”ＡＢＣ”を表示することがなく、セキュリティを高くすることができる。
【００４１】
（４）図１、図３、図４に示す装置において、パスワード発生部２２、２６は、操作部２１からの操作命令ごとにパスワードを発生する構成を示したが、操作部２１に操作命令を続けて入力する場合、最初の操作命令によるパスワードの有効期間内は、パスワード発生部２２、２６はパスワードを発生せず、判断部２３は続けて入力される操作命令を計測器１０に送信するようにしてもよい。
【００４２】
（５）図１、図３、図４に示す装置において、表示部１０はコンピュータ２０からのパスワード”ＡＢＣ”を入力し、この入力したパスワード”ＡＢＣ”をコンピュータ２０に入力されるパスワードとして表示する構成を示したが、複数のコンピュータ２０からパスワードが送信された場合、現在コンピュータ２０からの操作命令を実行中の場合、このコンピュータ２０、または異なるコンピュータからのパスワード”ＡＢＣ”を入力しても、入力したパスワード”ＡＢＣ”を表示部が表示しなくともよい。
【００４３】
このように、計測器１０がコンピュータ２０からの操作命令を実行中の場合、このコンピュータ２０または異なるコンピュータからのパスワード”ＡＢＣ”を入力しても、この入力したパスワード”ＡＢＣ”を表示部１１が表示しないので、複数のコンピュータ２０から操作されても、実行中の操作命令が中断されたり、変更されない。これにより、誤操作が少なくなる。
【００４４】
（６）図３に示す装置において、変換部２４がパスワード発生部２４からのパスワード”ＡＢＣ”をパスワード”ＢＣＤ”に変換して判断部に出力する構成を示したが、変換部２４は、操作部２１に入力される操作命令の種類によって変換を行ってもよい。例えば、計測器１０の初期設定を変更する操作命令や、重要な操作命令等のみ変換部２４がパスワード”ＡＢＣ”を変更するとよい。
【００４５】
（７）図３に示す装置において、変換部２４がパスワード発生部２４からのパスワード”ＡＢＣ”をパスワード”ＢＣＤ”に変換して判断部に出力する構成を示したが、変換部２４を、操作部２１と判断部２３の間に設けてもよい。この場合、ユーザは、表示部１１のパスワード”ＡＢＣ”が表示されると、操作部２１にパスワード”ＺＡＢ”を入力する。そして、変換部２４が、操作部２１からのパスワード”ＺＡＢ”をパスワード”ＡＢＣ”に変換して判断部２３に出力する。
【００４６】
【発明の効果】
本発明によれば、以下のような効果がある。
請求項１〜９によれば、パスワード発生部が操作部に操作命令が入力されるとパスワードを発生し、計測器の表示部にパスワードを表示させる。そして、判断部が、パスワード発生部からのパスワードと操作部からのパスワードとが一致すると、操作命令を計測器に送信するので、ユーザＩＤやパスワードを計測器に確認させたり、スイッチを計測器に設ける必要がない。これにより、簡便な操作でセキュリティが高く誤操作が少なくなる。さらに、計測器にスイッチやメモリを設ける必要がなく、小型化、低コスト化を図ることができる。
【００４７】
請求項２によれば、判断部が、有効期間内にパスワードが一致するかを確認をするので、セキュリティを高くすることができる。
【００４８】
請求項３によれば、表示部が、表示期間を長くともパスワードの有効期間までとするので、不要な時間にパスワードを表示することがなく、セキュリティを高くすることができる。
【００４９】
請求項５、６によれば、変換部がパスワードを変換し、判断部が変換後のパスワードと操作部からのパスワードが一致するかと判断するので、この変換の規則に一致する場合にのみ計測器を操作することができる。これにより、セキュリティを高くすることができる。
【００５０】
請求項７によれば、タイミング調整部が、パスワードを表示するタイミングを調整するので、不要な時間にパスワードを表示することがなく、セキュリティを高くすることができる。
【００５１】
請求項８によれば、パスワード発生部が、操作部に操作命令が入力されると、履歴保持部に保持される履歴に基づいてパスワードを発生するので、操作命令を実行できる回数を制限することができる。これにより、計測器の設定変更を防ぐことができ、計測器に設定される情報の信頼性を高くすることができる。
【００５２】
請求項９によれば、計測器が制御装置からの操作命令を実行中の場合、この制御装置または異なる制御装置からのパスワードを入力しても、この入力したパスワードを表示部が表示しないので、複数の制御装置から操作されても、実行中の操作命令が中断されたり、変更されない。これにより、誤操作が少なくなる。
【００５３】
請求項１０によれば、操作命令が入力されるとパスワードを発生し、計測器の表示部にパスワードを表示させる。そして、判断部が、発生したパスワードと表示後に入力されたパスワードとが一致すると、計測器に操作命令を送信するので、ユーザＩＤやパスワードを計測器に確認させたり、スイッチを計測器に設ける必要がない。これにより、簡便な操作でセキュリティが高く誤操作が少なくなる。さらに、計測器にスイッチやメモリを設ける必要がなく、小型化、低コスト化を図ることができる。
【図面の簡単な説明】
【図１】本発明の第１の実施例を示した構成図である。
【図２】図１に示す装置の動作の一例を示した図である。
【図３】本発明の第２の実施例を示した構成図である。
【図４】本発明の第３の実施例を示した構成図である。
【符号の説明】
１０  計測器
１１  表示部
２０  コンピュータ
２１  操作部
２２、２６  パスワード発生部
２３  判断部
２４  変換部
２５  履歴保持部
【図１】
2004334549.tif 000003
【図２】
2004334549.tif 000004
【図３】
2004334549.tif 000005
【図４】
2004334549.tif 000006